(57)【特許請求の範囲】
【請求項１】
レーダーパルス検出を、レーダー用デジタル受信機（１００）を用いて行なう方法であって、該方法は：
少なくとも１つのレーダー信号をミキサ（１２０）に入力すること（２１０）と；
前記少なくとも１つのレーダー信号を、ミキシング信号とミキシングして、前記少なくとも１つのレーダー信号をダウンコンバートすること（２２０）と；
アンチエイリアジングフィルタ処理（１４０）を、前記ミキサ（１２０）から出力されるダウンコンバート後の少なくとも１つの信号に対して、適用すること（２３０）と；
フィルタ処理後の少なくとも１つの信号を、アナログ−デジタル（Ａ／Ｄ）変換器（１５０）に入力して、フィルタ処理後の前記少なくとも１つの信号を、アナログ信号からデジタル信号に変換すること（２４０）と；
デジタルチャネル区分（１６０）を、前記Ａ／Ｄ変換器（１５０）から出力される前記少なくとも１つのデジタル信号に対して適用して、前記少なくとも１つのデジタル信号を異なる周波数帯（３２０）に分類すること（２５０）と；
レーダーパルス検出（１７０）を、分類後の前記少なくとも１つのデジタル信号に対して適用して、レーダーパルスを雑音から検出すること（２６０）と；
パラメータ推定（１８０）を、検出後の前記レーダーパルスに対して適用して、検出後の前記レーダーパルスのパラメータ群を推定すること（２７０）と
を含み、
レーダーパルス検出（１７０）を適用することは、
雑音電力を推定することと、
前記雑音電力を使用して、信号包絡線を推定する閾値を設定することと、
前記閾値に基づいて、複数の信号包絡線のエネルギー量を推定することと、
前記複数の信号包絡線のうち目標包絡線のエネルギーを、複数の隣接するチャネルにおける目標包絡線に対応する複数の包絡線の全てのエネルギーと比較することと、
前記目標包絡線のエネルギーが前記複数の包絡線の全てのエネルギーより高い場合に、前記目標包絡線がレーダーパルスであると判断し、他の場合には、目標包絡線が雑音であると判断することを備える、
方法。
【請求項２】
前記少なくとも１つのレーダー信号を中間周波数（ＩＦ）にダウンコンバートする、請求項１に記載の方法。
【請求項３】
前記少なくとも１つのデジタル信号が分類される（２５０）前記異なる周波数帯は、隣接する周波数帯（３２０）である、請求項１又は２に記載の方法。
【請求項４】
レーダーパルス検出（１７０）が、異なるチャネルで発生し、隣接する複数のチャネルで重なり、時間的に重なる前記レーダーパルスを分離する（２６０）ことにより、前記レーダーパルスを検出する、請求項１から３のいずれか一項に記載の方法。
【請求項５】
推定される前記パラメータ群（２７０）は、エネルギー、周波数、振幅、パルス幅、及びパルス繰り返し率（ＰＲＦ）のうちの少なくとも１つである、請求項１から４のいずれか一項に記載の方法。
【請求項６】
推定後の前記パラメータ群（２７０）により、レーダー発信源の特徴付け、及び目標パラメータの特徴付け（１９０）のうちの少なくとも１つがもたらされる、請求項１から５のいずれか一項に記載の方法。
【請求項７】
レーダーパルス検出を、レーダー用デジタル受信機（１００）を用いて行なうシステムであって、該システムは：
少なくとも１つのレーダー信号をミキシングして、前記少なくとも１つのレーダー信号をダウンコンバートするミキサ（１２０）と、
アンチエイリアジングフィルタ処理を、前記ミキサ（１２０）から出力されるダウンコンバート後の少なくとも１つの信号に対して適用するアンチエイリアジングフィルタ（１４０）と、
フィルタ処理後の少なくとも１つの信号を、アナログ信号からデジタル信号に変換するアナログ−デジタル（Ａ／Ｄ）変換器（１５０）と、
デジタルチャネル区分（３００）を、前記Ａ／Ｄ変換器（１５０）から出力される少なくとも１つのデジタル信号に対して適用し、前記少なくとも１つのデジタル信号を異なる周波数帯に分類する（３２０）デジタルチャネライザ（１６０）と、
分類後の少なくとも１つの信号について、前記レーダーパルスを雑音から検出するために使用されるレーダーパルス検出器（１７０）と、
検出後の前記レーダーパルスのパラメータ群を推定するパラメータ推定器（１８０）と
を備え、
前記レーダーパルス検出器（１７０）は、
雑音電力を推定することと、
前記雑音電力を使用して、信号包絡線を推定する閾値を設定することと、
前記閾値に基づいて、複数の信号包絡線のエネルギー量を推定することと、
前記複数の信号包絡線のうち目標包絡線のエネルギーを、複数の隣接するチャネルにおける目標包絡線に対応する複数の包絡線の全てのエネルギーと比較することと、
前記目標包絡線のエネルギーが前記複数の包絡線の全てのエネルギーより高い場合に、前記目標包絡線がレーダーパルスであると判断し、他の場合には、目標包絡線が雑音であると判断することを実行する、
システム。
【請求項８】
前記システムは更に、少なくとも１つのアンテナ（１１０）を備え、前記少なくとも１つのアンテナ（１１０）は、前記少なくとも１つのレーダー信号を受信する、請求項７に記載のシステム。
【請求項９】
前記少なくとも１つのレーダー信号は高周波（ＲＦ）信号である、請求項７又は８に記載のシステム。
【請求項１０】
前記システムは更に、周波数発生器（１３０）備え、該周波数発生器（１３０）は、前記ミキシング信号を生成する、請求項７から９のいずれか一項に記載のシステム。
【請求項１１】
前記少なくとも１つのレーダー信号を中間周波数（ＩＦ）にダウンコンバートする、請求項７から１０のいずれか一項に記載のシステム。
【請求項１２】
前記少なくとも１つのデジタル信号が分類される前記異なる周波数帯は、隣接する周波数帯（３２０）である、請求項７から１１のいずれかに記載のシステム。
【請求項１３】
レーダーパルス検出（１７０）が、異なるチャネルで発生し、隣接する複数のチャネルで重なり、時間的に重なる前記レーダーパルスを分離する（２６０）ことにより、前記レーダーパルスを検出する、請求項７から１２のいずれか一項に記載のシステム。
【請求項１４】
推定される（１８０）前記パラメータ群は、エネルギー、周波数、振幅、パルス幅、及びパルス繰り返し率（ＰＲＦ）のうちの少なくとも１つである、請求項７から１３のいずれか一項に記載のシステム。
【請求項１５】
推定後の前記パラメータ群により、レーダー発信源の特徴付け、及び目標パラメータ（１９０）の特徴付けのうちの少なくとも１つの特徴付けを行なう、請求項７から１４のいずれか一項に記載のシステム。
【発明の詳細な説明】
【技術分野】
【０００１】
本開示は、レーダーパルス検出に関するものである。具体的には、本開示は、レーダー用デジタル受信機を用いるレーダーパルス検出に関するものである。
【発明の概要】
【０００２】
本開示は、レーダーパルス検出を、レーダー用デジタル受信機を用いて行なうシステム、方法、及び装置に関するものである。具体的には、本開示の方法は、少なくとも１つのレーダー信号をミキサに入力することを含む。前記方法は更に、少なくとも１つのレーダー信号をミキシング信号とミキシングして、少なくとも１つのレーダー信号をダウンコンバートすることを含む。更に、前記方法は、アンチエイリアジングフィルタ処理を、前記ミキサから出力されるダウンコンバート後の少なくとも１つのレーダー信号に対して適用することを含む。更に、前記方法は、フィルタ処理後の少なくとも１つの信号を、アナログ−デジタル（Ａ／Ｄ）変換器に入力して、フィルタ処理後の少なくとも１つの信号を、アナログ信号からデジタル信号に変換することを含む。更に、前記方法は、デジタルチャネル区分を、前記Ａ／Ｄ変換器から出力される少なくとも１つのデジタル信号に対して適用し、少なくとも１つのデジタル信号を異なる周波数帯に分類することを含む。更に、前記方法は、レーダーパルス検出を、分類後の少なくとも１つのデジタル信号に対して適用し、前記レーダーパルスを雑音から検出することを含む。更に、前記方法は、パラメータ推定を、検出後の前記レーダーパルスに対して適用し、検出後の前記レーダーパルスのパラメータ群を推定することを含む。
【０００３】
１つ以上の実施形態では、前記方法は更に、少なくとも１つのレーダー信号を少なくとも１つのアンテナで受信することを含む。少なくとも１つの実施形態では、少なくとも１つのレーダー信号は高周波（ＲＦ）信号である。幾つかの実施形態では、前記ミキシング信号は正弦波信号である。
【０００４】
少なくとも１つの実施形態では、前記方法は更に、周波数発生器で前記ミキシング信号を生成することを含む。１つ以上の実施形態では、少なくとも１つのレーダー信号を中間周波数（ＩＦ）にダウンコンバートする。幾つかの実施形態では、少なくとも１つのデジタル信号が分類される前記異なる周波数帯は、隣接する周波数帯である。１つ以上の実施形態では、レーダーパルス検出が、異なるチャネルで発生し、隣接するチャネルで重なり、時間的に重なる前記レーダーパルスを分離することにより、前記レーダーパルスを検出する。少なくとも１つの実施形態では、推定される前記パラメータ群は、エネルギー、周波数、振幅、パルス幅、及び／又はパルス繰り返し率（ＰＲＦ）のうちの少なくとも１つである。幾つかの実施形態では、推定後の前記パラメータ群により、レーダー発信源の特徴付け、及び／又は目標パラメータの特徴付けを行なう。
【０００５】
１つ以上の実施形態では、レーダーパルス検出を、レーダー用デジタル受信機を用いて行なうシステムは、ミキサと、アンチエイリアジングフィルタと、アナログ−デジタル（Ａ／Ｄ）変換器と、デジタルチャネライザと、レーダーパルス検出器と、そしてパラメータ推定器と、を含む。１つ以上の実施形態では、前記ミキサは、少なくとも１つのレーダー信号をミキシングして、少なくとも１つのレーダー信号をダウンコンバートするために設けられる。また、前記アンチエイリアジングフィルタは、アンチエイリアジングフィルタ処理を、前記ミキサから出力されるダウンコンバート後の少なくとも１つの信号に対して適用するために設けられる。更に、前記Ａ／Ｄ変換器は、フィルタ処理後の少なくとも１つの信号を、アナログ信号からデジタル信号に変換するために設けられる。更に、前記デジタルチャネライザは、デジタルチャネル区分を、前記Ａ／Ｄ変換器から出力される少なくとも１つのデジタル信号に対して適用して、少なくとも１つのデジタル信号を異なる周波数帯に分類するために設けられる。更に、前記レーダーパルス検出器は、分類後の少なくとも１つの信号について、前記レーダーパルスを雑音から検出するために使用される。更に、前記パラメータ推定器は、検出後の前記レーダーパルスのパラメータ群を推定するために設けられる。
【０００６】
少なくとも１つの実施形態では、前記システムは更に、少なくとも１つのアンテナを備え、前記少なくとも１つのアンテナは、少なくとも１つのレーダー信号を受信するために設けられる。１つ以上の実施形態では、少なくとも１つのレーダー信号は高周波（ＲＦ）信号である。少なくとも１つの実施形態では、前記ミキシング信号は正弦波信号である。１つ以上の実施形態では、前記システムは更に、周波数発生器を備え、該周波数発生器は、前記ミキシング信号を生成するために設けられる。幾つかの実施形態では、少なくとも１つのレーダー信号を中間周波数（ＩＦ）にダウンコンバートする。
【０００７】
１つ以上の実施形態では、少なくとも１つのデジタル信号が分類される前記異なる周波数帯は、隣接する周波数帯である。幾つかの実施形態では、レーダーパルス検出が、異なるチャネルで発生し、隣接するチャネルで重なり、時間的に重なる前記レーダーパルスを分離することにより、前記レーダーパルスを検出する。少なくとも１つの実施形態では、推定される前記パラメータ群は、エネルギー、周波数、振幅、パルス幅、及び／又はパルス繰り返し率（ＰＲＦ）である。幾つかの実施形態では、推定後の前記パラメータ群により、レーダー発信源の特徴付け、及び／又は目標パラメータの特徴付けを行なう。
【０００８】
特徴、機能、及び利点は、本発明の種々の実施形態において個別に実現することができる、または更に他の実施形態において組み合わせることができる。
【図面の簡単な説明】
【０００９】
本開示のこれらの特徴、態様、及び利点、及び他の特徴、態様、及び利点は、以下の説明、添付の請求項、及び添付の図面を参照することにより一層深く理解されるようになる。
【００１０】
【図１】図１は、本開示の少なくとも１つの実施形態によるレーダー用デジタル受信機のシステム構成図を示している。
【図２】図２は、本開示の少なくとも１つの実施形態による図１のレーダー用デジタル受信機の動作のプロセスのフロー図を示している。
【図３】図３は、本開示の少なくとも１つの実施形態による多相フィルタバンクによるチャネル区分のシステム構成図を示している。
【図４】図４は、本開示の少なくとも１つの実施形態によるマルチチャネルパルス検出方式のシステム構成図を示している。
【図５】図５は、本開示の少なくとも１つの実施形態による図４の信号包絡線推定の機能ブロックのブロック図を示している。
【図６Ａ】図６Ａは、本開示の少なくとも１つの実施形態による例示的なタイプ１重なりパルスを示している。
【図６Ｂ】図６Ｂは、本開示の少なくとも１つの実施形態による例示的なタイプ２重なりパルスを示している。
【図７】図７は、本開示の少なくとも１つの実施形態によるパルス分離法のブロック図を示している。
【図８】図８は、本開示の少なくとも１つの実施形態による図６Ａのタイプ１重なりパルスを分離する様子を示している。
【図９】図９は、本開示の少なくとも１つの実施形態による図６Ｂのタイプ２重なりパルスを分離する様子を示している。
【図１０】図１０は、本開示の少なくとも１つの実施形態による５つのレーダー信号を含み、かつ１５ｄＢの信号対雑音比を有する例示的な合成信号を示している。
【図１１】図１１は、本開示の少なくとも１つの実施形態によるデジタルチャネル区分後の図１０の例示的な合成信号の５つのチャネルを示している。
【図１２】図１２は、本開示の少なくとも１つの実施形態による図１１の５つのチャネルについてのマルチチャネル検出の結果を示している。
【図１３】図１３は、本開示の少なくとも１つの実施形態による図１１の５つのチャネルについて達成される平均検出率を示している。
【図１４】図１４は、本開示の少なくとも１つの実施形態による重なりパルスを分離する例を示している。
【発明を実施するための形態】
【００１１】
本明細書において開示される方法及び装置は、レーダーパルス検出を行なう動作システムを提供する。詳細には、このシステムは、レーダー用デジタル受信機を用いるレーダーパルス検出に関するものである。
【００１２】
電子戦争（ｅｌｅｃｔｒｏｎｉｃ  ｗａｒｆａｒｅ：ＥＷ）では、レーダーは、電波が高密度に混在しつつ伝播している環境で動作する。その結果、これらのレーダーは、数千の、または数百万のレーダーパルスを毎秒受信する可能性がある。異なるレーダーから送出されるレーダーパルスを検出する、または分類することが電子戦争における解決されるべき困難な問題となっている。本開示は、デジタルチャネル区分方式、及びジョイントチャネル検出方式を利用して、異なるレーダー発信器から発信されるレーダーパルスを検出し、そして分離するレーダーパルス検出システムを教示する。本開示の主要な特徴は：１．）レーダーパルスを、これらのレーダーパルスの混合パルスから分離するデジタルチャネル区分方式；２．）レーダーパルスを検出するマルチチャネル検出方式；及び３．）重なりレーダーパルスを分離する画期的な技術である。実験結果から、本開示のレーダーパルス検出システムが、レーダーパルスの混合パルスを、極めて雑音の多い環境で検出し、そして分離するために効果的であることが判明している。
【００１３】
現在、電子戦争では、既存のレーダーは、多くの異なる種類のアナログ／受光器を用いて、異なる機能を実行する。しかしながら、これらのアナログ／受光器は何れも、計算効率及びコスト効率が悪い。１個のレーダー用デジタル受信機は、多くの種類のこれらのレーダー受信機の代わりに用いることができ、そして多くのレーダー動作を行なうことができる。本開示の目的は、レーダー用デジタル受信機に使用される最新のレーダーパルス検出方式を開発することにある。更に、本開示は、レーダー用デジタル受信機の使用の態様を提示する。
【００１４】
殆どの既存のレーダー受信機はアナログ／受光器である。従って、現在のレーダーパルス検出方式は、効率的ではなく、かつデジタル計算法よりも多くのエネルギーを消費するアナログ／光信号処理法を利用する。本開示のレーダーパルス検出方式は、既存のアナログ／光信号処理法よりも処理能力が高く、かつずっと少ないエネルギーしか消費しないデジタル信号処理法を利用する。大規模デジタル演算技術が進化しているので、デジタル受信機は、多数の複雑な機能を単一の受信装置で実行し、そして極めて複雑なアルゴリズムをリアルタイム計算により行なうことができる。フィールドプログラマブルゲートアレイ（ＦＰＧＡ）技術により、デジタル受信機は、アルゴリズムを適応的に調整して、異なる用途に合わせることができる。１個のデジタル受信機は、極めて高い演算能力を小型装置内に持つことができる。
【００１５】
以下の説明では、多数の詳細を開示して、当該システムについての更に完全な記載を提供するようにしている。しかしながら、この技術分野の当業者であれば、本開示のシステムを、これらの特定の詳細を利用することなく実施することができることを理解できるであろう。他の例では、公知の特徴は、当該システムを不必要に不明瞭にしてしまうことがないように、詳細には説明していない。
【００１６】
１．序論
電子戦争（ＥＷ）では、最新のレーダーシステムは、多くの場合、幾つかの異なる種類のレーダー受信機を用いて異なる機能を実行する必要があり、これによって当該レーダーシステムが非効率かつ高コストになっている。デジタル演算技術が進化しているので、レーダー用デジタル受信機は、多数の機能を１個の受信装置で実行することができる。既存のアナログ／レーダー受光器と比較すると、レーダー用デジタル受信機は、リアルタイム計算、低電力消費、アルゴリズム／構成をオンザフライで変更できる機能、低製造コスト、及び小規模サイズといった多くの利点を有する。従って、レーダー用デジタル受信機は、将来の電子戦争技術にとって重要な技術となるのにふさわしい候補である。本開示では、レーダー用デジタル受信機において利用される計算構造を提示する。
【００１７】
ＥＷ（電子戦争）時に動作するレーダーは普通、電波が高密度に混在しつつ伝播している環境で動作する必要があり、これは、これらのレーダーが、数千の、または数百万のレーダーパルスを毎秒受信することを意味する。非常に多くのレーダーパルスが混在すると、レーダーパルス検出及び分離は、ＥＷ（電子戦争）状態に置かれるレーダー受信機にとって非常に困難な作業になってしまう。レーダー用デジタル受信機を用いるレーダーパルス検出システムが開示される。更に、多相フィルタバンクを用いるデジタルチャネル区分方式を利用して、異なるレーダー発信器から発信されるレーダーパルスを分離する。レーダーパルスを雑音及びクラッタから検出するために、マルチチャネル検出方式を用い、このマルチチャネル検出方式では、多数の隣接チャネルから得られる情報を利用して、レーダーパルスを検出する。更に、信号包絡線の不連続性を利用して、重なりレーダーパルスをタイムリーに分離する方法を利用する。実験結果から、本開示のレーダーパルス検出システムは、高密度のレーダーパルスを雑音の多い環境で検出し、そして分離するために効果的であることが判明した。
【００１８】
２．レーダー用デジタル受信機
レーダー用デジタル受信機を用いる主要な利点は、当該レーダー用デジタル受信機がレーダーデータを、デジタルコンピュータの計算能力を利用して処理することができることである。従って、レーダー用デジタル受信機を用いることによって、多数の複雑なタスクを１台の受信機で実行して、複雑なレーダーデータをリアルタイムに処理し、非常に少ない電力消費量を実現し、そしてサイズが小さく、かつ軽量の高い計算能力を持つレーダー受信機を保有することが可能になる。理想的には、デジタル受信機は、レーダーアンテナから直接取得される生のレーダーデータを処理することができる。しかしながら、これには、今日の技術では利用することができないクロックレートが非常に高く、かつ帯域幅が非常に広いアナログ−デジタル（Ａ／Ｄ）変換器が必要である。もっと実用的なレーダー用デジタル受信機は、アナログ信号ミキサを収容することにより、レーダー信号をダウンコンバートして中間周波数（ＩＦ）帯域の信号とする。
【００１９】
図１は、本開示の少なくとも１つの実施形態によるレーダー用デジタル受信機１００のシステム構成図を示している。この図では、レーダーシステム１００は、アナログ処理部１０２と、そしてデジタル処理部１０５と、を含む。アナログ処理部１０２では、レーダー信号（すなわち、高周波（ＲＦ）信号）をアンテナ１１０で受信する。これらの信号は、周波数が極めて高いので、これらの信号をデジタル信号に直接変換することができず、かつデジタル処理することができない。従って、これらの信号をミキサ１２０に入力し、このミキサ１２０で、これらの信号をダウンコンバートしてＩＦ帯域の信号とする。周波数ダウンコンバートは、アンテナ１１０からの信号を、周波数発生器１３０が生成する正弦波信号とミキシング（１２０）する（すなわち、正弦波信号に乗算する）ことにより行なうことができる。結果として得られるこれらの信号は、ＲＦ周波数と周波数発生器１３０の正弦波との加算成分、及び差分を表わす周波数成分を有する。
【００２０】
次に、アンチエイリアジングフィルタ処理１４０をこれらの信号に対して適用して、これらの信号の帯域幅を、これらの信号がＡ／Ｄ変換器１５０に入力される前に制限する。アンチエイリアジングフィルタ処理１４０により、加算周波数成分を減衰させ、そしてより低いＩＦ周波数信号を通過させてＡ／Ｄ変換器１５０に渡す。Ａ／Ｄ変換器１５０は、アナログレーダー信号をサンプリングして、デジタルレーダー信号を生成する。デジタル処理部１０５では、デジタルチャネル区分を行なって、これらのデジタルレーダー信号を異なる周波数帯に分類し、この場合、異なるレーダー発信器から発信されるこれらのレーダー信号を分離することができる。詳細には、これらのデジタル信号を、隣接する多数の狭周波数帯または狭チャネルに、デジタルチャネル区分１６０を行なって分類する。これらのデジタルレーダー信号は多くの場合、雑音及びクラッタと混在している。
【００２１】
レーダーパルス検出１７０を行なってレーダーパルスを、雑音の多い各周波数サブバンドのレーダー信号から検出する。具体的には、レーダーパルス検出１７０では、異なるチャネルで発生するレーダーパルス、隣接するチャネルで重なるレーダーパルス、及び／又は時間的に重なるレーダーパルスを検出する。最後に、これらのレーダー信号のパラメータは、検出されたレーダーパルスに基づき、パラメータ推定１８０により推定される。パラメータ推定１８０では、これらのパルスのパラメータを推定して、レーダー発信源の特徴付け、または目標パラメータ１９０の特徴付けを行なう。推定されるパラメータの種類として、これらには限定されないが、エネルギー、周波数、振幅、パルス幅、及びパルス繰り返し率（ＰＲＦ）を挙げることができる。多くの既存の技術は、技術的に成熟しているアナログ処理部において使用することができる。レーダー用デジタル受信機の主要な解決課題は、デジタル処理部である。本開示は、デジタル処理部に主として注目し、特にデジタルチャネル区分、及びレーダーパルス検出に注目する。
【００２２】
図２は、本開示の少なくとも１つの実施形態による図１のレーダー用デジタル受信機１００の動作を表わすプロセスのフロー図２００を示している。当該プロセスの開始２０５では、多数のレーダーが高周波（ＲＦ）パルスを発信する。ＲＦパルスが発信された後、アンテナはＲＦエネルギーを、これらの発信パルスから受電する（２１０）。受信したＲＦレーダー信号を、周波数発生器が生成する正弦波とミキシングさせる（２２０）。結果的に得られる信号は、ＲＦ周波数と周波数発生器による正弦波との加算成分及び差分を表わす周波数成分を有する。次に、アンチエイリアジングフィルタは、より高い（加算）周波数を減衰させ、そしてより低い（差分）中間周波数（ＩＦ）信号を通過させる（２３０）。次に、アナログ−デジタル（Ａ／Ｄ）変換器は、アナログＩＦ信号をデジタル信号に変換してデジタル処理を行なう（２４０）。次に、デジタルチャネル区分により、当該ＩＦ信号を隣接する多数の狭周波数帯またはサブバンドチャネルに区分する（２５０）。レーダーパルス検出により、異なるチャネルで発生するパルス、隣接するチャネルで重なるパルス、及び／又は時間的に重なるパルスを分離する（２６０）。次に、パラメータ推定により、パルスパラメータ推定値を生成して、レーダー発信源の特徴付け、または目標パラメータの特徴付けを行なう（２７０）。このプロセス２００により、周波数、振幅、パルス幅、及び／又はパルス繰り返し率（ＰＲＦ）についてのレーダー発信源の特徴、または目標パラメータの特徴の推定を行なうことができる。
【００２３】
３．デジタルチャネル区分
異なるレーダー信号は、異なるキャリア周波数を周波数領域で使用するので、異なるレーダー信号は、これらのレーダー信号を異なる周波数チャネルに分類することにより分離することができる。チャネル区分は、レーダー信号群を周波数領域で分離する方法である。殆どのチャネル区分方式では、フィルタバンクを使用して、目標スペクトル帯域をカバーすることにより、レーダー信号群を異なる周波数帯に分離する。フィルタバンクを使用する際の主要な解決課題は、バンドクロストーク、及びリアルタイム計算である。
【００２４】
理想的な帯域通過フィルタは、矩形関数を周波数領域で有し、そしてシンク関数（ｓｉｎｃ  ｆｕｎｃｔｉｏｎ）を時間領域で有する。これは、時間領域では、フィルタ長が無限のフィルタが、理想的な帯域通過フィルタを実現するために必要であることを意味する。しかしながら、フィルタ長が無限のフィルタは、リアルタイム計算が可能ではなく、実用的ではない。フィルタ長が有限である場合、帯域通過フィルタは、理想的な周波数応答を持たず、そして遷移周波数帯を有する。フィルタ長が有限であるフィルタバンクでは、隣接する周波数帯は、重なり遷移周波数帯を有し、これにより、バンドクロストークが生じる。従って、所定のフィルタ長を持ち、かつこのフィルタ長によって重なり遷移周波数帯を最小限に抑えることによりバンドクロストークを最小限に抑えることができるフィルタバンクを設計することが重要である。
【００２５】
リアルタイム計算は、レーダーに使用されるＩＦ周波数が非常に高い周波数であるので、レーダー用デジタル受信機の重要な機能である。これは、Ａ／Ｄ変換器の後段では、これらのデジタルレーダー信号が、非常に高いサンプリングレートでサンプリングされる必要があることを意味する。チャネル区分構成要素は、夥しい量のデジタルデータを毎秒処理する必要がある。従って、計算効率の高いフィルタバンクが、リアルタイム計算を実現するために重要となる。
【００２６】
本開示では、多相フィルタバンクを用いて、デジタルチャネル区分機能を実現する。多相フィルタバンクを使用する主要な利点は、当該多相フィルタバンクの計算効率が高いことである。多相フィルタバンクでは、入力信号をまず、ダウンサンプリングし、そして次に、当該フィルタバンクにより、ずっと低いサンプリングレートでフィルタリングを行なう。従って、多相フィルタバンクは、従来のフィルタバンクよりもずっと高速に計算する。
【００２７】
図３は、Ｍ個のサブバンド（すなわち、チャネル）を用いる多相フィルタバンクによるデジタルチャネル区分３００のシステム構成図を示している。この図では、入力Ｘ（ｎ）３１０は、デジタルレーダー信号群であり、そしてチャネル区分の出力は、ｉ＝０，１，．．．，Ｍ−１とした場合、Ｍ個のサブバンド信号ｘｉ（ｎ）３２０である。記号Ｍ↓３３０は、係数Ｍのデシメーション（間引き）演算であり；記号Ｚ−１３４０は、遅延演算であり；ｉ＝０，１，．．．，Ｍ−１とした場合、Ｅｉ（ｚ）３５０は、サブバンドフィルタのフィルタ応答であり；そしてｉ＝０，１，．．．，Ｍ−１とした場合、ｆｉ３６０は、サブバンドフィルタの中心周波数である。Ｍ点デジタル逆フーリェ変換（ＩＤＦＴ）ボックス３７０は、Ｍ点デジタル逆フーリェ変換が行なわれることを示している。低域通過フィルタ３８０は、ｆｉ３６０で実行されるミキシング演算により得られる、より高い周波数項を除去する。これらのサブバンドフィルタは、次の方程式で表わされる：
0006026531.tif 000002
（１）
及び
ｅｉ（ｎ）＝ｈ（Ｍｎ＋ｉ），  ０≦ｉ≦Ｍ−１        （２）
【００２８】
関数ｈ（ｎ）は、フィルタバンクの第１低域通過フィルタ３８０のインパルス応答である。入力３１０は、デジタルレーダー信号であり、そしてチャネル区分の出力３２０は、Ｍ個のサブバンド信号である。デシメーション（間引き）演算は入力で行なわれるので、チャネル区分演算は実際には、入力信号のデータレートよりもＭ倍低いデータレートで行なわれる。
【００２９】
これらの出力信号のデータレートも、入力信号のデータレートよりもＭ倍低い。これにより、パルス検出及びパラメータ推定の演算に要する計算を大幅に削減することができる。
【００３０】
４．マルチチャネルパルス検出
チャネル区分方式に使用されるフィルタバンクのバンドクロストーク（すなわち、チャネルクロストーク）が生じるので、レーダー信号は、幾つかのサブバンド（チャネル）に含める必要がある。これにより、レーダーパルス検出方式の実施が一層困難になる。パルス検出方式は、レーダーパルスを雑音及びクラッタから検出するだけでなく、何れのチャネルに、検出されたパルスが属しているかを、幾つかのあり得るチャネルの中から決定する必要がある。これが困難である場合、多数のチャネル（すなわち、サブバンド）の信号を使用してレーダーパルスを検出するマルチチャネルパルス検出方式を用いる。これにより、パルス検出の問題、及びチャネル決定の問題を同時に解決することができる。
【００３１】
図４は、本開示の少なくとも１つの実施形態によるマルチチャネルパルス検出方式４００のシステム構成図を示している。検出方式４００は、チャネル区分方式により取得される全てのサブバンド信号に適用される。パルス検出方式４００では、雑音電力をまず、短幅窓内で推定する（すなわち、雑音電力推定４１０）。雑音電力を利用して、信号包絡線を推定する閾値を設定する（すなわち、信号包絡線推定４２０）。次に、これらの信号包絡線のエネルギー量を推定する（すなわち、包絡線エネルギー推定４３０）。多数のチャネルから得られる包絡線エネルギー量を利用して、レーダーパルスをこれらの信号包絡線から検出し（すなわち、マルチチャネルパルス検出４４０）、そして正しいチャネルを、検出パルスに対応する多数のチャネルから決定する。次に、任意の重なりパルスを分離する（すなわち、重なりパルス分離４５０）。
【００３２】
雑音電力推定４１０の機能ブロックでは、雑音分散を、着信デジタル信号列から推定する。当該信号列がレーダーパルスを含んでいない場合にのみ、推定分散が雑音分散となる。しかしながら、当該信号列がレーダーパルスを含んでいない場合を判断することができない。この理由により、信号分散の集合を推定し、そして次に、最小分散が、雑音分散であると判断することになる。この方法の場合、スライド窓を利用して、信号分散の集合を推定し、そして最も小さい３つの推定分散の平均が、雑音分散であると判断する。数学的に、この過程は、次式の通りに記述することができる。ｉ＝１，２，．．．，Ｉとした場合、ｓ（ｉ）をデジタル信号列とし、そしてΠ（σ）＝｛σｍ：ｍ＝１，２，．．．，Ｍ｝を信号列の推定分散の集合とする、すなわち、
0006026531.tif 000003
（３）
及び
0006026531.tif 000004
（４）
とする。
【００３３】
式中、変数Ｌは、スライドデータ窓の長さである。信号分散の集合から、当該分散の部分集合を選択する：
Ｖ（σ）⊆Π（σ）                                （５）
式中、以下のような関係がある：
Ｖ（σ）｛σｉ∈Π（σ）；σｉ≦Π（σ）に対する変数Ｋの最小分散推定量｝
【００３４】
次に、雑音分散σｎｓを次の方程式から算出する：
0006026531.tif 000005
（６）
【００３５】
信号包絡線推定４２０の機能ブロックでは、信号包絡線を、推定雑音分散を用いて推定する。これらの信号包絡線は、電位レーダーパルスである。まず、推定雑音分散を閾値として用いて、当該信号列のピーク値群の全てを見つけ出す。次に、平滑化フィルタリングをこれらのピーク値に対して適用され、かなりの雑音を除去する。最後に、線形補間をこれらのピーク値に対して適用され、当該信号列の包絡線を取得する。
【００３６】
図５は、本開示の少なくとも１つの実施形態による図４の信号包絡線推定４２０の機能ブロックのブロック図５００を示している。数学的に、当該過程は以下の通りに記述することができる。
【００３７】
ｉ＝１，２，．．．，Ｉとした場合、ｓ（ｉ）を入力信号列５１０とし、そしてＰｋ（ｉ）を信号列５１０のピーク信号とする。当該ピーク信号は次式により計算される：
Ｐｋ（ｉ）＝ｓ（ｉ），ｓ（ｉ）＞ｓ（ｉ−１）かつｓ（ｉ）＞ｓ（ｉ＋１）かつｓ（ｉ）＞ηの関係がある場合
Ｐｋ（ｉ）＝０、その他の場合                        （７）
【００３８】
閾値ηは、推定雑音分散により決定される。
【００３９】
まず、信号ピーク検出５２０では、信号列５１０のピーク信号を検出する。次に、ピーク平滑化フィルタリング５３０を行なう。ピーク平滑化フィルタリング５３０は、ピーク信号を有限長の移動平均フィルタでフィルタリングすることにより行なわれる低域通過フィルタリングである。ピーク平滑化フィルタリング５３０の目的は、ピーク信号に乗るノイズ点を除去することにある。線形補間５４０処理を行なう。線形補間５４０処理は、標準の線形補間法であり、この線形補間法では、離散値を信号の任意の２つのピークの間に埋め込んで、当該信号の包絡線５５０を取得する。
【００４０】
図４の包絡線エネルギー推定４３０の機能ブロックでは、全ての信号包絡線のエネルギーを計算し、この包絡線エネルギーをマルチチャネルパルス検出に使用する。
0006026531.tif 000006
（８）
【００４１】
マルチチャネルパルス検出４４０では、多数のチャネルを利用して、レーダーパルスを検出し、そして検出したレーダーパルスの正しいチャネルを決定する。パルス検出に多数のチャネルを利用する理由は、チャネルクロストーク、及び各チャネルの帯域幅が制限されることに起因して、殆ど全てのレーダーパルスが多数のチャネルに含まれるからである。レーダー信号がチャネルの中心に位置する場合、チャネルクロストークによって、信号のエネルギーの小部分が隣接するチャネルに漏れる。また、レーダー信号が、チャネルの境界の近傍に在る場合、信号のエネルギーの大部分が隣接チャネルに放出されることになる。更に、信号がチャネルの境界に位置する場合、信号のエネルギーの半分が、隣接する２つのチャネルに含まれることになる。従って、存在し得るレーダーパルスを、幾つかのチャネルについて検査して、最適なレーダーパルス検出を行なうことが望ましい。
【００４２】
本開示のマルチチャネル検出方式４４０の場合、包絡線信号は、包絡線信号が存在し得るレーダーパルスの全てを伝送するのでパルス検出に使用される。パルス検出は、各個々のチャネル内で行なわれるが、幾つかの隣接するチャネルの包絡線信号は、検出過程において使用される。検出過程では、検査対象チャネルの包絡線の場合、まず、対応する包絡線群の全てを、隣接するチャネル内で探索する。次に、対応する包絡線群の全てのエネルギーを、目標包絡線のエネルギーと比較する。目標包絡線が、対応する包絡線群の全ての包絡線よりも大きいエネルギーを有する場合、当該目標包絡線がレーダーパルスであると判断される。そうではない場合、当該目標包絡線は、雑音または漏洩パルスとして処理される。数学的に、検出過程４４０は以下のように記述される。
【００４３】
ｉ＝１，２，．．．，Ｎとした場合、ｘｋ（ｎ）をチャネルｋの包絡線信号とし、そしてｘｋ（ｎ）は、｛ｅｉｋ｝＝｛ｘｋ（ｉ），．．．，ｘｋ（Ｌｉ）｝とした場合、包絡線集合、Ｅｎｖｋ（ｅ）＝｛ｅｉｋ｝を含む。変数ｉ及びＬｉはそれぞれ、包絡線の測定開始時間インデックス、及び測定終了時間インデックスである。全ての包絡線ｅｉｋに関して、所定の時間窓では、対応する包絡線群は、隣接するチャネル内に見つけ出される、すなわち信号ｘｋ−１（ｎ）及びｘｋ＋１（ｎ）内に見つけ出される。ｅｊｋ−１及びｅｖｋ＋１をそれぞれ、チャネルｋ−１及びｋ＋１の対応する包絡線であるとする。｜ｉ−ｊ｜及び｜ｉ−ｖ｜の時間差は、所定の閾値を下回る必要があり、この閾値は普通、数時間ステップ（ｆｅｗ  ｔｉｍｅ  ｓｔｅｐｓ）である。次に、エネルギー比を次式に従って計算する：
0006026531.tif 000007
（９）
【００４４】
これらのエネルギーは、方程式（８）で計算される。次に、これらのエネルギー比を２つの所定の閾値γｍｉｎ及びγｍａｘと比較する。検出関数は次式により与えられる：
Ｄ（ｅｉｋ）＝１，γ１＞γｍｉｎかつγ２＞γｍｉｎかつ、γ１またはγ２＞γｍａｘの関係がある場合
Ｄ（ｅｉｋ）＝０、その他の場合                      （１０）
【００４５】
１つのチャネル内には、１つよりも多くのレーダー信号が含まれる可能性があり、これは、全てのパルスが、１つのレーダー発信器から発信される訳ではないことを意味する。１つのチャネル内に含まれる異なるレーダーパルスを分離するために、これらのパルス幅を振幅と比較して、これらのパルスを分離する。しかしながら、実験試験では、多くて２つのレーダー信号が１つのチャネル内に含まれていると仮定した。それ以外の場合、チャネル群の数を増やす必要があることになる。
【００４６】
幾つかの事例では、これらの包絡線信号の包絡線は、２つのレーダーパルスを含むことができる。これは、２つのレーダーパルスが時間領域で部分的に重なることに起因する。２つのレーダー信号に関して、パルスが時間領域で完全に重なると、２つの信号が、同じチャネルに含まれない場合に、または隣接するチャネルに含まれる場合に、これらの信号は、良好に検出することができ、かつ分離することができる。そうではない場合、これらの信号は、開示した方法では区別することができない。開示した方法では、部分的に重なるレーダーパルスしか分離していない。重なりパルスを分離するこれらの方法４５０について、次の節で説明する。
【００４７】
５．重なりパルスの分離
２つのタイプの重なりパルスが存在する。一方のタイプの重なりパルスは、これらのレーダー信号の両方が１つのチャネルに属する場合の重なりパルスである（本開示では、タイプ１と表記される）。他方のタイプの重なりパルスは、２つのレーダー信号が隣接する２つのチャネルに含まれる場合の重なりパルスである（本開示では、タイプ２と表記される）。２つのタイプの重なりパルスは異なる特性を有する。タイプ１重なりパルスが、同じ形状の包絡線を隣接するチャネル内に有するのに対し、タイプ２重なりパルスは、異なる形状の包絡線を隣接するチャネル内に有する。
【００４８】
図６Ａは、本開示の少なくとも１つの実施形態による例示的なタイプ１重なりパルスを示している。図６Ｂは、本開示の少なくとも１つの実施形態による例示的なタイプ２重なりパルスを示している。重なりパルスを分離するために、当該プロセスでは、まず、重なりパルスのタイプを特定する。次に、当該プロセスでは、これらのパルスを、異なる方法で、異なるタイプに対応して分離する。
【００４９】
図７は、本開示の少なくとも１つの実施形態によるパルス分離法７００のブロック図を示している。この図では、重なりパルスのパルスタイプ（すなわち、タイプ１またはタイプ２）をまず、判断する（７１０）。重なりパルスのタイプを判断した後、特定のタイプに対応する特定の分離法を重なりパルスに適用して、これらのパルスを分離する（すなわち、タイプ１に対応する分離法をタイプ２重なりパルスに適用し（７２０）、そしてタイプ２に対応する分離法をタイプ２重なりパルスに適用する（７３０））。
【００５０】
重なりパルスを分離する際の重要事項は、包絡線の値を不連続に変化させる臨界時点を見つけ出すことである。微分演算子を用いて、包絡線上の不連続点を見つけ出す。すなわち、次式が成り立つとする：
0006026531.tif 000008
（１１）
【００５１】
次に、臨界時点集合を次式により計算する：
Ｔτ＝｛ｔｋ；ｓｐ（ｔｋ）≧τ｝                    （１２）
【００５２】
変数τは閾値である。これらの臨界時点を使用することにより、重なりパルスを分離することができる。
【００５３】
図８及び９は、図７のパルス分離法７００をグラフで表わしている。詳細には、図８は、本開示の少なくとも１つの実施形態による図６Ａのタイプ１重なりパルスの分離を表わしている。図９は、本開示の少なくとも１つの実施形態による図６Ｂのタイプ２重なりパルスの分離を表わしている。
【００５４】
タイプ１重なりパルスの場合、分離後のパルスは次式により求めることができる：
ｐ１（ｎ）＝ａ；ｔ１≦ｎ≦ｔ３
０；その他の場合                      （１３）
及び
ｐ２（ｎ）＝ｂ；ｔ２≦ｎ≦ｔ４
０；その他の場合                      （１４）
【００５５】
両方のパルスが同じチャネルに含まれる。
【００５６】
タイプ２重なりパルスの場合、分離後のパルスは次式により求めることができる：
ｐ１（ｎ）＝ａ；ｔ１≦ｎ≦ｔ３
０；その他の場合、パルスはチャネルＢに含まれる（１５）
及び
ｐ２（ｎ）＝ｂ；ｔ２≦ｎ≦ｔ４
０；その他の場合、パルスはチャネルＡに含まれる（１６）
【００５７】
タイプ２重なりパルスの分離では、隣接する２つのチャネルを一括して処理する必要がある。
【００５８】
６．実験
本開示のパルス検出システムを評価するために、５つのレーダー信号を異なるパラメータを持つように生成した。５つの信号の全ては、変調後の矩形パルス波形である。５つの信号のキャリア周波数（ｆｃ）、変調タイプ、ＰＲＩ、及びパルス幅（ｐｗｄ）は以下の通りに記述される：
１．）ｆｃ＝５０ＭＨｚ，ＰＳＫ，ＰＲＩ＝０．０４ｍｓ  ｐｗｄ＝２．５μｓ
２．）ｆｃ＝１００ＭＨｚ，ＦＳＫ，ＰＲＩ＝０．０３ｍｓ  ｐｗｄ＝２．５μｓ
３．）ｆｃ＝１５０ＭＨｚ，ＱＡＭ，ＰＲＩ＝０．０４５ｍｓ  ｐｗｄ＝３．０μｓ
４．）ｆｃ＝２００ＭＨｚ，ＰＳＫ，ＰＲＩ＝０．０５ｍｓ  ｐｗｄ＝３．５μｓ
５．）ｆｃ＝２５０ＭＨｚ，ＰＳＫ，ＰＲＩ＝０．０３５ｍｓ  ｐｗｄ＝２．８μｓ
【００５９】
１ＧＨｚサンプリング周波数を用いて、５つの信号をサンプリングした。レーダー受信機のアンテナで、合成信号を受信した。
【００６０】
図１０は、本開示の少なくとも１つの実施形態による、上記の５つのレーダー信号を含み、かつ１５ｄＢの信号対雑音比を有する例示的な合成信号を示している。縦軸は、合成信号と雑音振幅を加算した値を、横軸の時間の関数として表わしている。５つのレーダー信号を完全に、まとめてミキシングする。白色ガウス分布を利用して雑音を作成した。これらのレーダー信号を周波数領域で分離するために、２０チャネルを用いた多相フィルタバンクを使用した。各チャネルは、５０ＭＨｚの帯域幅を有していた。５つのレーダー信号が、チャネル２〜チャネル６に含まれるという前提であった。
【００６１】
図１１は、本開示の少なくとも１つの実施形態による、デジタルチャネル区分後の図１０の例示的な合成信号の５つのチャネルを示している。縦軸は、合成信号と雑音振幅を加算した値を、横軸の時間の関数として、チャネル２，３，４，５，及び６である図示のチャネル群の各チャネルについて表わしている。これらの合成信号は、１ＧＨｚでサンプリングし、そして５０ＭＨｚチャネルを用いた２０チャネル多相フィルタバンクを使用して分離した。５つのレーダー信号は５つのチャネルに良好に分離されるが、偽レーダーパルスを生じる多くのチャネルクロストークが発生する。
【００６２】
図１２は、本開示の少なくとも１つの実施形態による、図１１の５つのチャネルについてのマルチチャネル検出の結果を示している。ＳＮＲが１５ｄＢである場合、これらの偽パルスの殆ど全てが、検出方式を行なった後に除去された。ＳＮＲ比が変化し、そして５つのチャネルについての平均検出確率を計算した。
【００６３】
図１３は、本開示の少なくとも１つの実施形態による、図１１の５つのチャネルについて達成される平均検出率を示している。縦軸は、パルス検出確率（Ｐｄ）を横軸の入力信号ＳＮＲの関数として表わしている。このグラフが示しているように、ＳＮＲ値が１５よりも大きい場合、これらの実験信号の検出率はほぼ１００％である。
【００６４】
図１４は、本開示の少なくとも１つの実施形態による重なりパルスを分離する例を示している。具体的には、上側の図１４００は、信号振幅と雑音振幅を加算した値を縦軸に、横軸の時間の関数として、重なりパルスが垂直線で指定されている状態で、チャネル３及び４について示している。下側の図１４１０は、これらの重なりパルスがパルス分離理論により分離されている様子を示している。
【００６５】
７．結論
本開示では、レーダー用デジタル受信機及びレーダーパルス検出システムの計算構造が開示される。本開示のレーダーパルス検出システムでは、多相フィルタバンクによるチャネル区分方式を用いて、レーダー信号群を周波数領域で分類する。マルチチャネルパルス検出方式を用いて、レーダーパルスを検出し、そして各周波数チャネルの雑音／クラッタ及び偽パルスを除去する。また、信号包絡線の不連続性を利用する革新的な方法を用いて、重なりレーダーパルスをタイムリーに分離する。実験結果から、本開示のレーダーパルス検出システムは、レーダーパルスを、雑音が多く、かつ電波が高密度に混在しつつ伝播している環境において検出し、そして分離するために効果的であることが判明している。
【００６６】
本開示の１つの態様によれば、レーダーパルス検出を、レーダー用デジタル受信機を用いて行なう方法が記載され、該方法では：少なくとも１つのレーダー信号をミキサに入力し；前記少なくとも１つのレーダー信号をミキシング信号とミキシングして、前記少なくとも１つのレーダー信号をダウンコンバートし；アンチエイリアジングフィルタ処理を、前記ミキサから出力されるダウンコンバート後の少なくとも１つのレーダー信号に対して適用し；フィルタ処理後の少なくとも１つの信号を、アナログ−デジタル（Ａ／Ｄ）変換器に入力して、フィルタ処理後の前記少なくとも１つの信号を、アナログ信号からデジタル信号に変換し；デジタルチャネル区分を、前記Ａ／Ｄ変換器から出力される少なくとも１つのデジタル信号に対して適用し、前記少なくとも１つのデジタル信号を異なる周波数帯に分類し；レーダーパルス検出を、分類後の前記少なくとも１つのデジタル信号に対して適用し、前記レーダーパルスを雑音から検出し；そしてパラメータ推定を検出後の前記レーダーパルスに対して適用し、検出後の前記レーダーパルスのパラメータ群を推定する。
【００６７】
前記方法では更に、前記少なくとも１つのレーダー信号を少なくとも１つのアンテナで受信することができる。
【００６８】
前記方法では、前記少なくとも１つのレーダー信号が高周波（ＲＦ）信号である。
【００６９】
前記方法では、前記ミキシング信号が正弦波信号である。
【００７０】
前記方法では、前記方法において更に、周波数発生器で前記ミキシング信号を生成する。
【００７１】
前記方法では、前記少なくとも１つのレーダー信号を中間周波数（ＩＦ）にダウンコンバートする。
【００７２】
前記方法では、前記少なくとも１つのデジタル信号が分類される前記異なる周波数帯は、隣接する周波数帯である。
【００７３】
前記方法では、レーダーパルス検出が、異なるチャネルで発生し、隣接するチャネルで重なり、そして時間がたてば重なる前記レーダーパルスを分離することにより、前記レーダーパルスを検出する。
【００７４】
前記方法では、推定される前記パラメータ群が、エネルギー、周波数、振幅、パルス幅、及びパルス繰り返し率（ＰＲＦ）のうちの少なくとも１つである。
【００７５】
前記方法では、推定後の前記パラメータ群により、レーダー発信源の特徴付け、及び目標パラメータの特徴付けのうちの少なくとも１つの特徴付けを行なう。
【００７６】
本開示の別の態様によれば、レーダーパルス検出を、レーダー用デジタル受信機を用いて行なうシステムが記載され、該システムは：ミキサであって、該ミキサが、少なくとも１つのレーダー信号をミキシングして、前記少なくとも１つのレーダー信号をダウンコンバートするために設けられる、前記ミキサと；アンチエイリアジングフィルタであって、該アンチエイリアジングフィルタが、アンチエイリアジングフィルタ処理を、前記ミキサから出力されるダウンコンバート後の少なくとも１つのレーダー信号に対して適用するために設けられる、前記アンチエイリアジングフィルタと；アナログ−デジタル（Ａ／Ｄ）変換器であって、該Ａ／Ｄ変換器が、フィルタ処理後の少なくとも１つの信号を、アナログ信号からデジタル信号に変換するために設けられる、前記アナログ−デジタル（Ａ／Ｄ）変換器と；デジタルチャネライザであって、該デジタルチャネライザが、デジタルチャネル区分を、前記Ａ／Ｄ変換器から出力される少なくとも１つのデジタル信号に対して適用し、前記少なくとも１つのデジタル信号を異なる周波数帯に分類するために設けられる、前記デジタルチャネライザと；レーダーパルス検出器であって、該レーダーパルス検出器が、分類後の少なくとも１つの信号について、前記レーダーパルスを雑音から検出するために使用される、前記レーダーパルス検出器と；そしてパラメータ推定器であって、該パラメータ推定器が、検出後の前記レーダーパルスのパラメータ群を推定するために設けられる、前記パラメータ推定器と、を備える。
【００７７】
前記システムは更に、少なくとも１つのアンテナを備えることができ、前記少なくとも１つのアンテナは、前記少なくとも１つのレーダー信号を受信するために設けられる。
【００７８】
前記システムでは、前記少なくとも１つのレーダー信号が高周波（ＲＦ）信号である。
【００７９】
前記システムでは、前記ミキシング信号は正弦波信号である。
【００８０】
前記システムでは、前記システムは更に、周波数発生器を備え、該周波数発生器は、前記ミキシング信号を生成するために設けられる。
【００８１】
前記システムでは、前記少なくとも１つのレーダー信号を中間周波数（ＩＦ）にダウンコンバートする。
【００８２】
前記システムでは、前記少なくとも１つのデジタル信号が分類される前記異なる周波数帯は、隣接する周波数帯である。
【００８３】
前記システムでは、レーダーパルス検出器は、異なるチャネルで発生し、隣接するチャネルで重なり、そして時間的に重なる前記レーダーパルスを分離することにより、前記レーダーパルスを検出する。
【００８４】
前記システムでは、推定される前記パラメータ群が、エネルギー、周波数、振幅、パルス幅、及びパルス繰り返し率（ＰＲＦ）のうちの少なくとも１つである。
【００８５】
前記システムでは、推定後の前記パラメータ群により、レーダー発信源の特徴付け、及び目標パラメータの特徴付けのうちの少なくとも１つの特徴付けを行なう。
【００８６】
特定の例示的な実施形態及び方法を本明細書において開示してきたが、これまでの開示内容から、この技術分野の当業者であれば、このような実施形態及び方法の変更及び変形を、開示される技術の真の思想及び範囲から逸脱しない範囲で加えることができることが理解できる。各例が他の例とは軽微な点でしか異ならないような、開示される技術の多くの他の例が存在する。従って、開示される技術は、添付の請求項、及び準拠法の規則及び原則により要求される範囲にのみ限定されるものとする。
【図１】
0006026531.tif 000009
【図２】
0006026531.tif 000010
【図３】
0006026531.tif 000011
【図４】
0006026531.tif 000012
【図５】
0006026531.tif 000013
【図６Ａ】
0006026531.tif 000014
【図６Ｂ】
0006026531.tif 000015
【図７】
0006026531.tif 000016
【図８】
0006026531.tif 000017
【図９】
0006026531.tif 000018
【図１０】
0006026531.tif 000019
【図１１】
0006026531.tif 000020
【図１２】
0006026531.tif 000021
【図１３】
0006026531.tif 000022
【図１４】
0006026531.tif 000023